(57)【要約】      （修正有）【課題】巻き付けたコードを容易に外すことができる。【解決手段】平板状の部材の、対向する、縁２３の中央側を跨いでコード４を複数巻回することで、コード４の束４１を形成し、コード４の束４１に沿って平板状の部材の、磁石の小片３が取り付けられた一方の面２１とは反対側の他方の面２２側同士を折り曲げてコード４の束４１を挟み込み、一方の面２１に取り付けられた、対向する、複数の磁石の小片３同士が吸着することで、コード４の束４１を保持し、吸着させた、磁石の小片３同士を分離して、平板状の部材を広げて、コード４の束４１内で、コード４の束４１を挟み込んだ状態とは垂直方向となる方向で他方の面２２側同士を折り曲げると、コード４の束４１を挟み込まず、磁石の小片３同士が吸着することで、コード４の束４１内で隙間が形成され、コード４を外すことを可能にするホルダー１を提供する。【選択図】図２
2017039570.tif 000002
【特許請求の範囲】
【請求項１】
屈曲可能な樹脂製の平板状の部材と、
少なくとも、前記平板状の部材内の対角線を含む方向で、前記平板状の部材の外周側に、前記平板状の部材の縁の中心線を挟んで対向する、前記平板状の部材の一方の面側に突出して取り付けられた、磁石の小片と、
を備え、
前記平板状の部材の縦方向の縁側に沿って取り付けられた、複数の前記磁石の小片同士は、前記平板状の部材の縦方向の縁の中心線を挟んで対向して配置され、前記平板状の部材の縦方向の縁の中心線を挟んで対向する、前記磁石の小片同士は磁石の極性が異なり、
前記平板状の部材の横方向の縁側に沿って取り付けられた、複数の前記磁石の小片同士は、前記平板状の部材の横方向の縁の中心線を挟んで対向して配置され、前記平板状の部材の横方向の縁の中心線を挟んで対向する、前記磁石の小片同士は磁石の極性が異なることを特徴とするホルダー。
【請求項２】
前記平板状の部材の、対向する、前記縁の中央側を跨いで  コードを複数巻回することで、対向する、前記縁の中央側に前記コードを巻き付け、前記コードの束を形成し、前記コードの束に沿って、前記磁石の小片が取り付けられた前記一方の面とは反対側の他方の面側同士を重ね合うように折り曲げて前記コードの束を挟み込み、前記一方の面に取り付けられた、平板状の部材の縁の中心線を挟んで対向する、複数の前記磁石の小片同士が折り曲げられた前記平板状の部材を介して吸着することで、前記コードの束を保持した状態にし、前記コードの束を保持した状態から、吸着させた、複数の前記磁石の小片同士を分離して、前記平板状の部材を広げて、前記平板状の部材を折り曲げる前の状態にし、前記コードの束内で、前記コードの束を挟み込んで前記平板状の部材が折り曲げられた状態と垂直方向となる方向で前記平板状の部材の前記他方の面側同士が重なり合うように折り曲げることで前記コードの束を挟み込まず、前記平板状の部材の縁の中心線を挟んで対向する、複数の前記磁石の小片同士が折り曲げられた前記平板状の部材を介して吸着することで、前記コードの束内で隙間が形成され、前記コードの束が前記平板状の部材から離れることが可能になり、前記平板状の部材から前記コードを外すことが可能であることを特徴とする請求項１に記載のホルダー。
【請求項３】
前記平板状の部材の外周をなす縁では、該縁の中央側が前記平板状の部材の中心に向かって窪む円弧状の凹部が形成されており、対向する前記縁同士に形成された前記円弧状の凹部同士は対向して形成されていることを特徴とする請求項２に記載のホルダー。
【発明の詳細な説明】
【技術分野】
【０００１】
本発明は、そのままの形状でも、折り曲げることでも、使用することができるホルダーに関する。
【背景技術】
【０００２】
クリップを含めたホルダーの形状は用途により使い分けられるように、従来型の針金を複数（二回程度）、楕円形状に曲げたものから斬新な形状のものまでいろいろなものが存在する。その中には、折り曲げるだけで簡単にものをまとめることができる構成のものもあり、例えば、図７に示す板部材を用いることでクリップにしたものもある。図７に示すクリップ１１０は、図７（ａ）に示すように、所望の形状に裁断された薄い１枚の鋼板１００を屈曲することによって形成されている。このクリップ１１０にあっては、図７（ｂ）に示すように、図７（ａ）に示す、略扇形に形成された上板１０１並びに下板１０２が互いに重ね合わされて、その扇形の基端縁で屈曲連結部１０３により一体的に連結されている。上板１０１の円形凹部１０４が下板１０２の方向に凸面を向けた状態に反転しているときは、屈曲連結部１０３の反対側の端部において上板１０２と下板１０２との間が開いていて、これに用紙等を挟み込むことができ、また用紙等を挿入した後、下板１０２をその裏側から押圧して上板１０１の円形凹部１０４を上方に反転させることにより、上板１０１の周縁部分を下板１０２面に圧接させて両者の間で用紙等を安定よく挟持するこ
とが出来るものである（特許文献１）。
【先行技術文献】
【特許文献】
【０００３】
【特許文献１】実開平６−６７０７１号公報（段落０００５、段落０００６、図１、図６）
【発明の概要】
【発明が解決しようとする課題】
【０００４】
図７に示すクリップ１１０では、上板１０１並びに下板１０２が互いに重ね合わされて、屈曲連結部１０３の反対側の端部において上板１０２と下板１０２との間が開いて形成され、上板１０２と下板１０２との間の開いたところに用紙等を挟み込むことで用紙等を保持している。ただし、保持するものが用紙ではなくイヤホンコード等の携帯情報通信端末の付属部品の場合もあり、特にイヤホンコード等のコードの場合には、上板１０２と下板１０２との間の開いたところにコード入れ、コードを屈曲連結部１０３の内側に沿って伸ばし、屈曲連結部１０３の外側にコードを回し再びコードを屈曲連結部１０３の内側に回すということを複数回繰り返すことで、屈曲連結部１０３にコードを巻回することでクリップ１１０にコードをまとめることも可能である。この場合、巻き付ける位置が予め決まったところが屈曲連結部１０３だけになり、コードが長くても、短くても同じところ（屈曲連結部１０３）に巻かざるを得ない。その結果、コードの長さによっては、屈曲連結部１０３に巻き付けられたコードの量によって上板１０２と下板１０２とが膨らんだ状態となり、安定よく挟持することが難しくなる。また、屈曲連結部１０３に巻き付けられ
たコードを外すに際しても、コードを巻き付ける動作とは逆の動作、つまり、屈曲連結部１０３にコードを巻き付ける方向とは、逆方向にコードを巻き戻すことになり、屈曲連結部１０３からコードを外すことに、時間がかかり、コードが絡みあってしまうこともある。
【０００５】
本発明は、上記事情に鑑みなされたものであり、コードの長さに応じてコードを巻き付ける位置を選択することができ、巻き付けたコードを容易に外すことを可能にするホルダーを提供することを目的とする。
【課題を解決するための手段】
【０００６】
上記の目的を達成するために、請求項１に記載の発明は、屈曲可能な樹脂製の平板状の部材と、少なくとも、前記平板状の部材内の対角線を含む方向で、前記平板状の部材の外周側に、前記平板状の部材の縁の中心線を挟んで対向する、前記平板状の部材の一方の面側に突出して取り付けられた、磁石の小片と、を備え、前記平板状の部材の縦方向の縁側に沿って取り付けられた、複数の前記磁石の小片同士は、前記平板状の部材の縦方向の縁の中心線を挟んで対向して配置され、前記平板状の部材の縦方向の縁の中心線を挟んで対向する、前記磁石の小片同士は磁石の極性が異なり、前記平板状の部材の横方向の縁側に沿って取り付けられた、複数の前記磁石の小片同士は、前記平板状の部材の横方向の縁の中心線を挟んで対向して配置され、前記平板状の部材の横方向の縁の中心線を挟んで対向する、前記磁石の小片同士は磁石の極性が異なることを特徴とする。
【０００７】
従って、請求項１に記載の発明によれば、平板状の部材の一方の面側に複数の磁石の小片が取り付けられ、磁石の小片が取り付けられる位置は、平板状の部材内の対角線を含む方向としている。本来、磁石の小片が取り付けられる位置は、平板状の部材の対角線に沿う方向であるが、平板状の部材の形状を含めた大きさ、磁石の小片の取り付け易さ等を考慮すると必ずしも対角線に沿う方向に磁石の小片を取り付けることは容易ではない。磁石を取り付ける位置を平板状の部材の対角線に沿う位置に限定しなくても、平板状の部材の縦方向（或いは横方向）の縁の中心線に沿って平板状の部材を折り曲げて重なり合わせた際に、平板状の部材に取り付けられた、平板状の部材の縦方向（或いは横方向）の縁の中心線を挟んで対向する磁石同士が吸着できればよい。つまり、磁石の小片同士が取り付けられる位置である平板状の部材内の対角線を含む方向とは、対角線に沿う方向だけではなく、平板状の部材内の対角線同士が交叉する交点を中心に対角線を鋭角の範囲（角度α）内で回転させた位置に形成された、磁石の小片の位置決め線に沿う方向も含まれることである。この磁石の小片の位置決め線が通る位置に磁石の小片の中心を取り付ることによっても、平板状の部材の縦方向（或いは横方向）の縁の中心線を挟んで磁石の小片同士が対向することになる。以上のように、平板状の部材内の対角線を含む方向は、対角線から対角線同士が交叉する交点を中心に鋭角の範囲（角度α）で対角線を回転させることによって形成された磁石の小片の位置決め線の範囲となる。その対角線から磁石の小片の位置決め線の範囲内の対角線上或いは磁石の小片の位置決め線上に、磁石の小片を取り付けることで、磁石の小片同士は平板状の部材の縦方向（或いは横方向）の縁の中心線を挟んで対向する位置に取り付けられたことになり、平板状の部材の縦方向（或いは横方向）の縁の中心線に沿って平板状の部材を折り曲げて重なり合わせた際に、平板状の部材に取り付けられた、平板状の部材の縦方向（或いは横方向）の縁の中心線を挟んで対向する磁石同士が吸着することになる。
【０００８】
また、平板状の部材の外周が曲線、例えば、円形の形状をなしている場合には、平板状の部材の外周の形状に基づいて対角線を求めることができない。そのため、平板状の部材内に平板状の部材の外周と接する多角形、正方形に限定されないが、基本的には正方形を形成し、その多角形の対角線を平板状の部材内の対角線として磁石の小片の取り付け位置を決定する際の根拠とすることになる。また、平板状の部材の外周が曲線、例えば、円形の形状をなしている場合であっても、磁石の小片が取り付けられる位置は、上記と同様に、平板状の部材内の対角線を含む方向となる。
【０００９】
さらに、平板状の部材の縦方向（或いは、横方向）の縁側に沿って取り付けられた、複数の磁石の小片同士は、平板状の部材の縦方向（或いは、横方向）の縁の中心線を挟んで対向して配置され、平板状の部材の縦方向（或いは、横方向）の縁の中心線を挟んで対向する、前記磁石の小片同士は磁石の極性が異なり、平板状の部材の横方向（或いは、縦方向）の縁の中心線を沿って平板状の部材を折り曲げて重なりあわせることで、磁石の小片同士が吸着する。また、磁石の小片が取り付けられるのは、平板状の部材内の対角線を含む方向だけに限定されるものではく、それ以外の対角線とは無関係に、平板状の部材の縦方向（或いは横方向）の縁の中心線を挟んで対向する位置とすることも可能であり、平板状の部材の縦方向（或いは横方向）の縁の中心線に沿って折り曲げて重ね合わせた際に磁石の小片同士が吸着できればよい。
【００１０】
また、磁石の小片は平板状の部材内の対角線を含む方向だけに取り付けられるものであはなく、平板状の部材の大きさによっては、平板状の部材内の対角線を含む方向の他に平板状の部材の縦方向（或いは、横方向）の縁の中心線に沿う方向にも取り付けることは可能である。したがって、平板状の部材の縦方向に三つ以上の磁石の小片を取り付けることも可能であるし、平板状の部材の横方向に三つ以上の磁石の小片を取り付けることも可能であり、幾つの磁石の小片を取り付けるかは平板状の部材の形状、大きさによって決定されることになる。
【００１１】
また、請求項２に記載の発明は、請求項１に記載の構成に加え、前記平板状の部材の、対向する、前記縁の中央側を跨いで  コードを複数巻回することで、対向する、前記縁の中央側に前記コードを巻き付け、前記コードの束を形成し、前記コードの束に沿って、前記磁石の小片が取り付けられた前記一方の面とは反対側の他方の面側同士を重ね合うように折り曲げて前記コードの束を挟み込み、前記一方の面に取り付けられた、平板状の部材の縁の中心線を挟んで対向する、複数の前記磁石の小片同士が折り曲げられた前記平板状の部材を介して吸着することで、前記コードの束を保持した状態にし、前記コードの束を保持した状態から、吸着させた、複数の前記磁石の小片同士を分離して、前記平板状の部材を広げて、前記平板状の部材を折り曲げる前の状態にし、前記コードの束内で、前記コードの束を挟み込んで前記平板状の部材が折り曲げられた状態と垂直方向となる方向で前記平板状の部材の前記他方の面側同士が重なり合うように折り曲げることで前記コードの束を挟み込まず、前記平板状の部材の縁の中心線を挟んで対向する、複数の前記磁石の小片同士が折り曲げられた前記平板状の部材を介して吸着することで、前記コードの束内で隙間が形成され、前記コードの束が前記平板状の部材から離れることが可能になり、前記平板状の部材から前記コードを外すことが可能であることを特徴とする。
【００１２】
従って、請求項２に記載の発明によれば、ホルダーの平板状の部材の、対向する縁の中央側を跨いでコードを複数巻回することでコードの束を形成し、コードの束に沿って、磁石の小片が取り付けられた一方の面とは反対側の他方の面側同士を重ね合わせてコードを挟み込み、一方の面に取り付けられた、平板状の部材の縁の中心線を挟んで対向する、複数の磁石の小片同士が折り曲げられた平板状の部材を介して吸着することで、コードの束を保持し、その後、吸着させた、複数の磁石の小片同士を分離して、平板状の部材を広げて、コードの束内で、コードの束を保持した状態と垂直方向となる方向で平板状の部材の他方の面側同士が重なり合うように折り曲げることで前記コードの束を挟み込まず、平板状の部材の縁の中心線を挟んで対向する、複数の磁石の小片同士が折り曲げられた平板状の部材を介して吸着することで、コードの束内に隙間が形成され、平板状の部材からコードを外すことが可能になる。
【００１３】
さらに、請求項３に記載の発明は、請求項２に記載の構成に加え、前記平板状の部材の外周をなす縁では、該縁の中央側が前記平板状の部材の中心に向かって窪む円弧状の凹部が形成されており、対向する前記縁同士に形成された前記円弧状の凹部同士は対向して形成されていることを特徴とする。
【００１４】
従って、請求項３に記載の発明によれば、平板状の部材の縁の中央には、凹部が形成されており、凹部同士は対向して形成されているので、平板状の部材の縁にコードを巻き付けた際に、コードが縁の中央に集まり易くなり、コードの束の形成を縁の中央側にまとめることが容易になり、コードの束が縁の中央側に形成されることで、平板状の部材の縁の中心線を挟んで対向する、磁石の小片同士の吸着も行い易くなる。
【発明の効果】
【００１５】
本発明によれば、ホルダーは折り曲げずにそのままの状態であっても磁石が吸着するところに用いるのであれば、磁石が吸着するところとホルダーとの間に介在物（紙等）を挟み込んだ状態でホルダーを吸着させることで、ホルダーとしての機能を発揮させられる。また、ホルダーの形状（外周）が長辺、短辺で形成されていれば、ホルダーに巻き付けるコードの長さにより、対向する長辺側、或いは対向する短辺側のいずれかを選択し、選択した、対向する長辺側、或いは対向する短辺側のいずれかにコードを巻き付けて、コードの束を形成し、コードの束に沿ってホルダーを折り曲げて重ね合わせ、対向する磁石同士を吸着させることでコードの保持することでコードの整理を行える。ホルダーからコードを外すには吸着した磁石同士を分離して、ホルダー広げ元の状態に戻し、ホルダーをコードの束に沿って折り曲げていた方向とは垂直方向に折り曲げて重ね合わせて、対向する磁石同士を吸着させることで、コードの束内に隙間が形成され、ホルダーからコードを容易に外せる。さらに、ホルダーの外周を形成する長辺、短辺を含めた縁の中央側に凹部を形成することで、ホルダーの外周側、一方の面、及び他方の面に亘って巻き付けられるコードを凹部に集めることができ、コードの束の形成を容易にしている。
【図面の簡単な説明】
【００１６】
【図１】本発明のホルダーの説明図である。（ａ）は、ホルダーの全体を示す説明図である。（ｂ）は、ホルダーの側方である横方向側を示す説明図である。（ｃ）は、ホルダーの側方である縦方向側を示す説明図である。
【図２】本発明のホルダーへのイヤホンコードの巻き付け方を示す説明図である。（ａ）は、ホルダーにイヤホンコードが巻かれた状態を示す説明図である。（ｂ）は、ホルダーに巻かれたイヤホンコードをホルダーを折り曲げて保持した状態を示す説明図である。
【図３】本発明のホルダーからイヤホンコードの外し方を示す説明図である。（ａ）は、折り曲げたホルダーを元に戻してイヤホンコードがホルダーの縁の中央側同士を跨ぐように巻き付けられた状態を示す説明図である。（ｂ）は、ホルダーを折り曲げて、イヤホンコードの束内で隙間を形成した状態を示す説明図である。（ｃ）は、ホルダーからイヤホンコードの束を外す状態を示す説明図である。
【図４】本発明のホルダーの別の形態を示す説明図である。
【図５】本発明のホルダーのさらに別の形態を示す説明図である。（ａ）は、ホルダーの形態が円形の説明図である。（ｂ）は、ホルダーの形態が楕円形の説明図である。
【図６】本発明のホルダ−の他の別の形態を示す説明図である。（ａ）は、ホルダーの形態が正方形の説明図である。（ｂ）は、ホルダーの形態が長方形の説明図である。
【図７】（ａ）は、特許文献１に示すクリップの展開平面図である。（ｂ）は、特許文献１に示すクリップの斜視図である。
【発明を実施するための形態】
【００１７】
以下、本発明を実施するための形態について図面を参照して説明する。
【００１８】
図１に本発明のホルダー１の全体が示されている。ホルダー１は、柔軟性のある素材からなる平板状の部材２がベースになっている。平板状の部材２は、基本的には樹脂製であり、屈曲可能な柔軟性が確保できればよく、樹脂の種類は問わない。平板状の部材２の大きさは、特に限定されるものではないが、図１（ａ）に示すように、矢印ａ方向で示す横方向が矢印ｂ方向で示す縦方向より長く形成されている。本例では、一例として、８ｃｍ×１１ｃｍの大きさのものを用いているが、本例で用いる大きさのものより大きくても小さくてもよい。その結果、本発明であるホルダー１の平板状の部材２は基本的に長方形形状に近い形状をなしている。また、平板状の部材２の外周をなす各辺（各縁２３、２４）では中央が平板状の部材２の内側へ窪んで（平板状の部材２の中心に向かって窪んで）円弧状の凹部２５、２６が形成されている。対向する辺（縁）２３、２３に形成されている円弧状の凹部２５、２５同士は対向しており、対向する辺（縁）２４、２４に形成されている円弧状の凹部２６、２６同士は対向している。また、平板状の部材２の厚さは、本例では３ｍｍとしているが、屈曲可能な柔軟性が確保できれば、３ｍｍに限定されることなく３ｍｍより厚くても、３ｍｍより薄くてもよい。
【００１９】
本例では、図１（ａ）に示すように、平板状の部材２の対角線Ｄ１、Ｄ２に沿う方向で、平面状の部材２の外周側に、対向した磁石の小片３である円盤状の磁石が取り付けられている。本例では、磁石の小片３として円盤状の磁石を用いているが、円盤状の形状に限定されることなく、楕円形の形状にすることも可能であり、四角形等の多角形の形状にすることも可能である。具体的には、平板状の部材２の四隅にそれぞれ磁石の小片３である円盤状の磁石が取り付けられている。本例では、四隅に磁石の小片３を取り付けることで、平板状の部材２の縦方向（矢印ｂ方向）の縁２４側に沿って複数の磁石の小片３（二個の磁石の小片３）取り付けられたことになり、平板状の部材２の横方向（矢印ａ方向）の縁２５側に沿って複数の磁石の小片３（二個の磁石の小片３）が取り付けられたことになる。これらの磁石の小片３は平板状の部材２の一方の面２１側に突出して取り付けられている。本例では、図１（ｂ）及び図１（ｃ）に示すように、磁石の小片３は、一方の面２１に接着して取り付けられ、一方の面２１側に突出している。磁石の小片３の平板状の部材２への取り付けでは、本例での磁石の小片３を直接平面状の部材２に接着することに限られず、平面状の部材２の磁石の小片３が取り付けられる位置に孔を形成し、孔に磁石の小片３を組み込み、接着剤で固定することも可能である。最終的には磁石の小片３は平面状の部材２とともにコーティングされることになる。
【００２０】
磁石の小片３は、平板状の部材２の各中心線（縁２３の中心線Ｃ１、縁２４の中心線Ｃ２）に対して対称な位置に取り付けられている（対向する位置に取り付けられている）。平板状の部材２を中心線Ｃ１、Ｃ２に沿って折り曲げることで、磁石の小片（円盤状の磁石）３、３同士が重なり合うことになる。つまり、平板状の部材２を中心線Ｃ１に沿って折り曲げることで、平板状の部材２の縦方向（矢印ｂ方向）の縁側に沿って取り付けられた複数の磁石の小片３（二個の磁石の小片３）同士が重なり合うことになり、平板状の部材２の横方向（矢印ａ方向）で対向する、磁石の小片３、３同士は極性が異なるため、平板状の部材２の縦方向（矢印ｂ方向）の縁側に沿って取り付けられた複数の磁石の小片３（二個の磁石の小片３）同士は吸着することになる。また、平板状の部材２を中心線Ｃ２に沿って折り曲げることで、平板状の部材２の横方向（矢印ａ方向）の縁側に沿って取り付けられた複数の磁石の小片３（二個の磁石の小片３）同士が重なり合うことになり、平板状の部材２の縦方向（矢印ｂ方向）で対向する、前記磁石の小片同士は極性が異なるため、平板状の部材２の横方向（矢印ａ方向）の縁側に沿って取り付けられた複数の磁石の小片３（二個の磁石の小片３）同士は吸着することになる。
【００２１】
以上が本発明のホルダー１の構成であり、つぎにホルダー１の使用例について説明する。
【００２２】
ホルダー１は、図１に示す状態でも使用することができ、図１に示す状態で、磁石が吸着できる場所、例えば冷蔵庫の扉に吸着させ、ホルダー１と紙を冷蔵庫の扉との間に紙を挟み込むことで紙を保持することができる。ホルダー１は図１に示す状態で用いることができる他、ホルダー１の屈曲可能な柔軟性を生かした用い方もできる。ホルダー１の屈曲可能な柔軟性を生かした用い方としては、コードをまとめる一例が考えられ、コードとして携帯情報通信端末のイヤホンコード４を例にとって、以下では、ホルダー１でのイヤホンコード４の取り扱い方について説明する。
【００２３】
ホルダー１（平板状の部材２）の縁２３、２３の中央側である凹部２５、２５同士を跨ぐように(沿って）イヤホンコード４を巻回する。その結果、図２（ａ）に示すように、ホルダー１の縁２３、２３の凹部２５、２５が窪んでいるため、凹部２５、２５同士が対向する位置を中心にイヤホンコード４が巻き付けられ、巻き付けられたイヤホンコード４の束４１が平板状の部材２の、凹部２５、２５側、一方の面２１側、及び他方の面２２側を囲むように形成されることになる。この状態では、平板状の部材２の縁２３、２３側の中央に単にイヤホンコード４を巻き付けたに過ぎず、イヤホンコード４を平板状の部材２に縛り付ける等のイヤホンコード４を平板状の部材２に結び付ける処置を施していないため、イヤホンコード４が解れ易い。イヤホンコード４を安定して保持するために、図２（ｂ）に示すように、巻き付けられたイヤホンコード４の束４１に沿う方向に平板状の部材２を折り曲げる（平板状の部材２の縁２３、２３の、凹部２５、２５同士の対向する中央に沿って折り曲げる）。本例では、平板状の部材２の、磁石の小片３が取り付けられていない他方の面２２を折り曲げて、重なり合わせることで一方の面２１に取り付けられた磁石の小片３、３同士が折り曲げられた平板状の部材２を介して吸着する。つまり、図２（ｂ）に示すように、磁石の小片３、３同士の吸着しようとする磁力が平板状の部材２を折り曲げた状態を保持し、保持することによって生じた押圧が平板状の部材２の縁２３、２３の、凹部２５、２５側に巻き付けられたイヤホンコード４の束４１を挟み込んでいる、折り曲げられた平板状の部材２にも加わることで、ホルダー１に巻回されたイヤホンコード４が保持される。
【００２４】
以上のようにしてホルダー１で保持されているイヤホンコード４をホルダー１から外すためには、以下の手順で行うことになる。図２（ｂ）に示す、ホルダー１にイヤホンコ
ード４が巻回された状態から図２（ａ）と同様の状態である図３（ａ）に示す、巻き付けられたイヤホンコード４の束４１に沿う方向に折り曲げられていた平板状の部材２を元に戻す。つまり、平板状の部材２の縁２３、２３の、凹部２５、２５の中央に沿って折り曲げられて、対向する磁石の小片３、３同士が吸着していた状態から磁石の小片３、３同士を分離した状態にし、折り曲げられていた、平板状の部材２の縁２３、２３を真っ直ぐに伸ばし、凹部２５、２５同士の中央の折り目をなくした状態にする（平板状の部材２を広げ、折り曲げる前の状態にする）。つぎに、イヤホンコード４の束４１（複数巻回したコードの束）内で、イヤホンコード４の束４１がなす略円柱形状の中心軸方向に沿って折り目を形成するようにホルダー１を折り曲げる。具体的には、図２（ｂ）に示す、イヤホンコード４の束４１を挟み込んで平板状の部材２が折り曲げられた状態とは垂直方向となる方向で平板状の部材の他方の面２２側同士が重なり合うように折り曲げることで、イヤホンコード４の束４１を挟み込まず、一方の面２１に取り付けられた磁石の小片３、３同士が折り曲げられた平板状の部材２を介して吸着する。その結果、図３（ｂ）に示すように、ホルダー１の平板状の部材２は半分の大きさとなり、接触していたイヤホンコード４の束４１と接触しないことが可能となり、イヤホンコード４の束４１内に隙間４２が形成される。隙間４２が形成されることでホルダー１はイヤホンコード４の束４１内で自由（移動可能）となり、イヤホンコード４をホルダー１から外せることになる。
【００２５】
以上では図１に示すホルダー１の形態に基づいてホルダー１の取り扱いについて述べたが、本発明のホルダー１は図１に示す形態に限定されるものではなく他の形態をとることも可能である。以下では、図１に示すホルダー１とは異なる形態のホルダーについて示す。
【００２６】
図４に示すホルダー１０では、磁石の小片３である円盤状の磁石が、図１とは異なり増えた形態が示されている。ホルダー１０は、図１のホルダー１と同様に柔軟性のある素材からなる平板状の部材２がベースになっており、また、図１と同様に、矢印ａ方向で示す横方向が矢印ｂ方向で示す縦方向より長く形成されて、長方形形状に近い形状をなしている。また、平板状の部材２の外周をなす各辺（各縁２３、２４）では中央が平板状の部材２の内側へ窪んで（縁２３、２４の中央側が前記平板状の部材の中心に向かって窪んで）円弧状の凹部２５、２６が形成されている。対向する辺（縁）２３、２３に形成されている円弧状の凹部２５、２５同士は対向しており、対向する辺（縁）２４、２４に形成されている円弧状の凹部２６、２６同士は対向している。また、図４では、図１と同様に、平板状の部材２内の対角線である、平板状の部材２の対角線Ｄ１、Ｄ２に沿う方向で、平面状の部材２の外周側に、対向した磁石の小片３である円盤状の磁石が取り付けられている。具体的には、平板状の部材２の四隅にそれぞれ磁石の小片３である円盤状の磁石が取り付けられている。図４では、図１と異なり、磁石の小片３は、平板状の部材２の中心線（縁２３の中心線Ｃ１）上にも取り付けられており、対向する縁２３、２３の円弧状の凹部２５、２５側に対向して取り付けられている。以上により、図４では、平板状の部材２の縦方向（矢印ｂ方向）の縁２４側に沿って複数の磁石の小片３（二個の磁石の小片３）取り付けられたことになり、平板状の部材２の横方向（矢印ａ方向）の縁２５側に沿って複数の磁石の小片３（三個の磁石の小片３）が取り付けられたことになる。
【００２７】
図１の形態と同様に、磁石の小片３は、平板状の部材２の各中心線（縁２３の中心線Ｃ１、縁２４の中心線Ｃ２）に対して対称な位置に取り付けられている（対向する位置に取り付けられている）。平板状の部材２を中心線Ｃ１、Ｃ２に沿って折り曲げることで、磁石の小片（円盤状の磁石）３、３同士が重なり合うことになる。平板状の部材２の横方向（矢印ａ方向）で対向する、磁石の小片３、３同士は極性が異なるため、平板状の部材２の縦方向（矢印ｂ方向）の縁側に沿って取り付けられた複数の磁石の小片３（二個の磁石の小片３）同士は吸着することになる。また、平板状の部材２の縦方向（矢印ｂ方向）で対向する、前記磁石の小片同士は極性が異なるため、平板状の部材２の横方向（矢印ａ方向）の縁側に沿って取り付けられた複数の磁石の小片３（三個の磁石の小片３）同士は吸着することになる。以上の構成により、図１の形態と同様に、ホルダー１０（平板状の部材２）の縁２３、２４の中央側である凹部２５、２６同士を跨ぐように(沿って）イヤホンコード４を巻回し、イヤホンコード４の束４１を形成し、ホルダー１に巻回されたイヤホンコード４が保持することになる。さらに、平板状の部材２を広げ、折り曲げる前の状態にし、イヤホンコード４の束４１を挟み込んで平板状の部材２が折り曲げられた状態とは垂直方向となる方向で平板状の部材の他方の面２２側同士が重なり合うように折り曲げることで、イヤホンコード４の束４１を挟み込まず、一方の面２１に取り付けられた磁石の小片３、３同士が折り曲げられた平板状の部材２を介して吸着することで、イヤホンコード４の束４１内に隙間４２が形成され、イヤホンコード４をホルダー１から外せることになる。
【００２８】
図１及び図４と異なる形態として図５に外周が円弧状の形状のホルダー２０、３０が示されている。ホルダー２０、３０、ホルダー１、１０と同様に柔軟性のある素材からなる平板状の部材２がベースになっている。ホルダー２０、３０（平板状の部材２）は外周が円弧状（円形（図５（ａ）、楕円形（図５（ｂ））をなしているため、外周の形状に基づいて対角線を求めることができない。そのため、ホルダー２０、３０内にホルダーの外周と接する多角形（線分Ｅによる四角形）を形成し、その多角形の対角線を平板状の部材２内の対角線として磁石の小片３の取り付け位置を決定する際の根拠とすることになる。その結果、図５も、図１及び図４と同様に、平板状の部材２内の対角線Ｄ１、Ｄ２に沿う方向で、平板状の部材２の外周側に、平板状の部材２の一方の面側に、対向する磁石の小片３が突出して取り付けられている。また、ホルダー２０、３０（平板状の部材２）は外周が円弧状（円形、楕円形）をなしているため、辺を用いて外周を特定することは難しく、ホルダー２０、３０（平板状の部材２）内に形成された多角形（四角形）の角がホルダー２０、３０（平板状の部材２）の外周と接する点Ｆでホルダー２０、３０（平板状の部材２）の外周を区切り、区切られた各円弧を縁とすることになる。つまり、図５に示すように、点Ｆ、Ｆ間で区切られた、「２３」で示された円弧の部分を縁２３とし、点Ｆ、Ｆ間で区切られた、「２４」で示された円弧の部分を縁２４とすることになる。その結果、図５においても、図１及び図４と同様に、縁２３、２３同士は対向することになり、縁２４、２４同士も対向することになる。図５では、図１及び図４とは異なり、平板状の部材２の外周をなす各辺（各縁２３、２４）では中央が平板状の部材２の外側へ突出している。図５では、平板状の部材２の外周と接する多角形、図５では平板状の部材２内の対角線である、正方形、或いは長方形である四角形の対角線Ｄ１、Ｄ２に沿う方向で、平面状の部材２の外周側に、対向した磁石の小片３である円盤状の磁石が取り付けられている。図５では、平板状の部材２の縦方向（矢印ｂ方向）の縁２４側に沿って複数の磁石の小片３（二個の磁石の小片３）取り付けられたことになり、平板状の部材２の横方向（矢印ａ方向）の縁２３側に沿って複数の磁石の小片３（二個の磁石の小片３）が取り付けられたことになる。
【００２９】
図５では、図１及び図４の形態と同様に、磁石の小片３は、平板状の部材２の各中心線（縁２３の中心線Ｃ１、縁２４の中心線Ｃ２）に対して対称な位置に取り付けられている（対向する位置に取り付けられている）。平板状の部材２を中心線Ｃ１、Ｃ２に沿って折り曲げることで、磁石の小片（円盤状の磁石）３、３同士が重なり合うことになる。平板状の部材２の横方向（矢印ａ方向）で対向する、磁石の小片３、３同士は極性が異なるため、平板状の部材２の縦方向（矢印ｂ方向）の縁側に沿って取り付けられた複数の磁石の小片３（二個の磁石の小片３）同士は吸着することになる。また、平板状の部材２の縦方向（矢印ｂ方向）で対向する、前記磁石の小片同士は極性が異なるため、平板状の部材２の横方向（矢印ａ方向）の縁側に沿って取り付けられた複数の磁石の小片３（三個の磁石の小片３）同士は吸着することになる。以上の構成により、図１及び図４の形態と同様に、ホルダー１０（平板状の部材２）の縁２３、２４の中央側同士を跨ぐように(沿って）イヤホンコード４を巻回し、イヤホンコード４の束４１を形成し、ホルダー１に巻回されたイヤホンコード４が保持することになる。さらに、平板状の部材２を広げ、折り曲げる前の状態にし、イヤホンコード４の束４１を挟み込んで平板状の部材２が折り曲げられた状態とは垂直方向となる方向で平板状の部材の他方の面２２側同士が重なり合うように折り曲げることで、イヤホンコード４の束４１を挟み込まず、一方の面２１に取り付けられた磁石の小片３、３同士が折り曲げられた平板状の部材２を介して吸着することで、イヤホンコード４の束４１内に隙間４２が形成され、イヤホンコード４をホルダー１から外せることになる。
【００３０】
図６では、図１、図４及び図５とは異なる形態のホルダー４０、５０が示されている。ホルダー４０、５０、図１、図４及び図５に示すホルダー１、１０、２０、３０と同様に柔軟性のある素材からなる平板状の部材２がベースになっている。ホルダー４０、５０（平板状の部材２）は外周が四角形（正方形（図６（ａ）、長方形（図６（ｂ））をなしている。ホルダー４０、５０は四角形をなしているため、対角線Ｄ１、Ｄ２は図４と異なり容易に定まる。ホルダー４０では、図６（ａ）に示すように、平板状の部材２の対角線Ｄ１、Ｄ２に沿う方向で、平面状の部材２の外周側に、対向した磁石の小片３である円盤状の磁石が取り付けられている。具体的には、平板状の部材２の四隅にそれぞれ磁石の小片３である円盤状の磁石が取り付けられている。ホルダー５０では、図６（ａ）に示すように、平板状の部材２の対角線Ｄ１、Ｄ２に沿う方向に、磁石の小片３は取り付けられている。また、図６（ｂ）では、平板状の部材２の対角線Ｄ１、Ｄ２に沿う方向とは異なる方向に、磁石の小片３は取り付けられているが、縦方向（矢印ｂ方向）の磁石の小片３、３同士は対向し、それぞれの対角線Ｄ１、Ｄ２に対して同じ傾きだけズレており、横方向（矢印ａ方向）の磁石の小片３、３同士対向し、それぞれの対角線Ｄ１、Ｄ２に対して同じ傾きだけズレている。平板状の部材２の大きさ、磁石の小片３の取り付け易さ等を考慮すると必ずしも対角線Ｄ１、Ｄ２に沿う方向に磁石の小片３、３を取り付けることは容易ではない。そのため、本発明では、磁石の小片３、３同士が平板状の部材の外周側で、互いに対向し、それぞれの対角線Ｄ１、Ｄ２に対して同じ傾きだけズレていれば、平板状の部材２内の対角線Ｄ１、Ｄ２を含む方向に該当するとしている。従って、図６（ｂ）に示す磁石の小片３、３は、平板状の部材内の対角線Ｄ１、Ｄ２を含む方向で、前記平板状の部材の外周側に、対向して取り付けられたことになる。具体的には、平板状の部材２内の対角線Ｄ１、Ｄ２同士が交叉する交点を中心に対角線Ｄ１、Ｄ２の位置から鋭角の範囲（角度α）内で回転させた、磁石の小片３の位置決め線Ｅ１、Ｅ２が磁石の小片３の中心を通る位置に磁石の小片３を取り付ける。以上のように、対角線Ｄ１、Ｄ２から対角線Ｄ１、Ｄ２同士が交叉する交点を中心に対角線Ｄ１、Ｄ２を鋭角の範囲（角度α）で回転させた磁石の小片３の位置決め線Ｅ１、Ｅ２に沿って磁石の小片３を取り付けることで、磁石の小片３、３同士は平板状の部材２の縦方向（或いは横方向）の縁の中心線Ｃ１、Ｃ２を挟んで対向する位置に取り付けられたことになる。従って、平板状の部材２を中心線Ｃ１、Ｃ２に沿って折り曲げることで、磁石の小片（円盤状の磁石）３、３同士が重なり合うことになる。
【００３１】
以上に基づき、図６では、平板状の部材２の縦方向（矢印ｂ方向）の縁２４側に沿って複数の磁石の小片３（二個の磁石の小片３）取り付けられたことになり、平板状の部材２の横方向（矢印ａ方向）の縁２３側に沿って複数の磁石の小片３（二個の磁石の小片３）が取り付けられたことになる。図６では、図１、図４及び図５の形態と同様に、磁石の小片３は、平板状の部材２の各中心線（縁２３の中心線Ｃ１、縁２４の中心線Ｃ２）に対して対称な位置に取り付けられている（対向する位置に取り付けられている）。平板状の部材２を中心線Ｃ１、Ｃ２に沿って折り曲げることで、磁石の小片（円盤状の磁石）３、３同士が重なり合うことになる。平板状の部材２の横方向（矢印ａ方向）で対向する、磁石の小片３、３同士は極性が異なるため、平板状の部材２の縦方向（矢印ｂ方向）の縁側に沿って取り付けられた複数の磁石の小片３（二個の磁石の小片３）同士は吸着することになる。また、平板状の部材２の縦方向（矢印ｂ方向）で対向する、前記磁石の小片同士は極性が異なるため、平板状の部材２の横方向（矢印ａ方向）の縁側に沿って取り付けられた複数の磁石の小片３（三個の磁石の小片３）同士は吸着することになる。以上の構成により、図６では、図１、図４及び図５の形態と同様に、ホルダー１０（平板状の部材２）の縁２３、２４の中央側同士を跨ぐように(沿って）イヤホンコード４を巻回し、イヤホンコード４の束４１を形成し、ホルダー１に巻回されたイヤホンコード４が保持することになる。さらに、平板状の部材２を広げ、折り曲げる前の状態にし、イヤホンコード４の束４１を挟み込んで平板状の部材２が折り曲げられた状態とは垂直方向となる方向で平板状の部材の他方の面２２側同士が重なり合うように折り曲げることで、イヤホンコード４の束４１を挟み込まず、一方の面２１に取り付けられた磁石の小片３、３同士が折り曲げられた平板状の部材２を介して吸着することで、イヤホンコード４の束４１内に隙間４２が形成され、イヤホンコード４をホルダー１から外せることになる。
【符号の説明】
【００３２】
１、１０、２０、３０、４０、５０…ホルダー
２…平板状の部材、２１…一方の面、２２…他方の面、２３、２４…縁（辺）、２５、２６…（円弧状の）凹部
３…磁石の小片（円盤状の磁石）
４…イヤホンコード、４1…束、４２…隙間、
Ｃ１、Ｃ２…中心線
Ｄ１、Ｄ２…対角線
Ｅ１、Ｅ２…磁石の小片の位置決め線
α…対角線に対して回転した角度
【図１】
2017039570.tif 000003
【図２】
2017039570.tif 000004
【図３】
2017039570.tif 000005
【図４】
2017039570.tif 000006
【図５】
2017039570.tif 000007
【図６】
2017039570.tif 000008
【図７】
2017039570.tif 000009